(57)【要約】      （修正有）【課題】茎付き植物において、茎の保持力を高めた植物保持部材を提供する。【解決手段】植物保持部材１は、茎１０１を有する植物１００が載置される植物載置面１１およびスリット４０を有する板状部材１０を有する。スリット４０は、板状部材１０の外縁において開口４３すると共に植物載置面１１に沿う方向に沿って板状部材１０の内部側に延在する。スリット幅方向Ｂにおいて対向する第一スリット構成面４１および第二スリット構成面４２は、スリット幅方向Ｂに沿ってスリット深さ方向に切ったスリット断面がスリット幅方向Ｂに凸となる第一凸面および第二凸面を有し、第一凸面および第二凸面は、それぞれ茎１０１を挟持したとき、茎１０１の周面側から茎１０１の内部に食い込む食込み領域を先端側に有し、食込み領域では、スリット深さ方向のスリット断面幅が第一凸面および第二凸面の基端部よりも小さい。【選択図】図１
0003223014.tif 000002
【実用新案登録請求の範囲】
【請求項１】
茎を有する植物を保持する植物保持部材であって、
前記茎の周りの前記植物の表面が接触した状態で前記植物が載置される植物載置面、およびスリットを有する板状の板状部材を有し、
前記植物載置面は、前記板状部材の一方側の平面により構成され、
前記スリットは、前記板状部材の外縁において開口すると共に、前記植物載置面に沿う方向に沿って前記板状部材の内部側に延在し、
前記スリットの幅方向において対向する前記スリットの構成面を第一スリット構成面および第二スリット構成面と定義したとき、
前記第一スリット構成面は、前記スリットの幅方向に沿って前記スリットの深さ方向に切った断面（以下、スリット断面と呼ぶ。）が前記スリットの幅方向の前記第二スリット構成面側に凸となる第一凸面を有し、
前記第二スリット構成面は、前記スリット断面が前記スリットの幅方向の前記第一スリット構成面側に凸となる第二凸面を有し、
前記第一凸面および前記第二凸面は、それぞれ前記スリットの深さ方向に前記スリットに挿入された前記茎を挟持したとき、前記茎の周面側から前記茎の内部に食い込む食込み領域を有し、
前記食込み領域では、前記スリットの深さ方向の前記スリット断面幅（以下、スリット深さ方向側断面幅と呼ぶ。）が前記第一凸面および前記第二凸面の基端部よりも小さいことを特徴とする、
植物保持部材。
【請求項２】
前記食込み領域は、先端に進むに従って前記スリット深さ方向側断面幅が小さくなるように形成されることを特徴とする、
請求項１に記載の植物保持部材。
【請求項３】
前記第一凸面または前記第二凸面は、前記スリットの深さ方向に複数設けられることを特徴とする、
請求項１、２のいずれかに記載の植物保持部材。
【請求項４】
前記第一スリット構成面および／または前記第二スリット構成面は、前記スリットの深さ方向に前記スリットに挿入された前記茎を挟持したとき、前記茎の表面に当接して前記茎を挟持する茎側当接領域、および／または、前記茎の表面に当接しない非当接領域を有することを特徴とする、
請求項１〜３のいずれかに記載の植物保持部材。
【考案の詳細な説明】
【技術分野】
【０００１】  本考案は、茎を有する植物を保持する植物保持部材に関する。
【背景技術】
【０００２】  イチゴは、衝撃を加えられると傷付きやすい。また、傷が付いたイチゴは商品価値が下がる。このため、イチゴに傷が付かないように、イチゴの茎を挟持してイチゴを保持する搬送用保持具が提案されている（例えば、特許文献１参照）。上記搬送用保持具は、イチゴの茎を差し込むための楔形孔が形成された板状部材または棒状体により構成される。楔形孔にイチゴの茎を差し込むと、楔形孔によりイチゴの茎が挟持される。これにより、イチゴは、茎を介して上記搬送用保持具で保持される。
【先行技術文献】
【特許文献】
【０００３】
【特許文献１】特開２００９−７０１４号公報
【考案の概要】
【考案が解決しようとする課題】
【０００４】  しかしながら、上記搬送用保持具において楔形孔を構成する面は、平面状になっている。このため、楔形孔によりイチゴの茎の径方向からイチゴの茎を挟持しただけでは、上記搬送用保持具で保持されたイチゴが輸送車で輸送される際に発生する振動により、イチゴが上記搬送用保持具から外れてしまう可能性がある。つまり、平面で構成される楔形孔では、イチゴの茎の挟持力が十分ではない。【０００５】  本考案は、斯かる実情に鑑み、イチゴ等の茎付き植物において、茎の保持力を高めた植物保持部材を提供しようとするものである。
【課題を解決するための手段】
【０００６】  本考案は上記課題を解決するためになされたものであり、本考案の植物保持部材は、茎を有する植物を保持する植物保持部材であって、前記茎の周りの前記植物の表面が接触した状態で前記植物が載置される植物載置面、およびスリットを有する板状の板状部材を有し、前記植物載置面は、前記板状部材の一方側の平面により構成され、前記スリットは、前記板状部材の外縁において開口すると共に、前記植物載置面に沿う方向に沿って前記板状部材の内部側に延在し、前記スリットの幅方向において対向する前記スリットの構成面を第一スリット構成面および第二スリット構成面と定義したとき、前記第一スリット構成面は、前記スリットの幅方向に沿って前記スリットの深さ方向に切った断面（以下、スリット断面と呼ぶ。）が前記スリットの幅方向の前記第二スリット構成面側に凸となる第一凸面を有し、前記第二スリット構成面は、前記スリット断面が前記スリットの幅方向の前記第一スリット構成面側に凸となる第二凸面を有し、前記第一凸面および前記第二凸面は、それぞれ前記スリットの深さ方向に前記スリットに挿入された前記茎を挟持したとき、前記茎の周面側から前記茎の内部に食い込む食込み領域を有し、前記食込み領域では、前記スリットの深さ方向の前記スリット断面幅（以下、スリット深さ方向側断面幅と呼ぶ。）が前記第一凸面および前記第二凸面の基端部よりも小さいことを特徴とする。【０００７】  また、本考案の植物保持部材において、前記食込み領域は、先端に進むに従って前記スリット深さ方向側断面幅が小さくなるように形成されることを特徴とする。【０００８】  また、本考案の植物保持部材において、前記食込み領域では、前記スリット深さ方向側断面幅が略０．８ｍｍ以下である。【０００９】  また、本考案の植物保持部材において、前記食込み領域では、前記スリットの幅方向の前記スリット断面の最大長が略０．８ｍｍ以下である。【００１０】  また、本考案の植物保持部材において、前記第一凸面または前記第二凸面は、前記スリットの深さ方向に複数設けられることを特徴とする。【００１１】  また、本考案の植物保持部材において、前記第一スリット構成面および／または前記第二スリット構成面は、前記スリットの深さ方向に前記スリットに挿入された前記茎を挟持したとき、前記スリットの幅方向において前記食込み領域に連続し、かつ前記茎の表面に当接して前記茎を挟持する茎側当接領域を有することを特徴とする。
【考案の効果】
【００１２】  本考案の植物保持部材によれば、イチゴ等の茎付き植物において、茎の保持力を高めることができるという優れた効果を奏し得る。
【図面の簡単な説明】
【００１３】
【図１】  （Ａ）は、本考案の実施形態における植物保持部材の斜視図である。（Ｂ）は、（Ａ）のＥ−Ｅ矢視断面図である。
【図２】  （Ａ）は、本考案の実施形態における植物保持部材の平面図である。（Ｂ）は、本考案の実施形態における植物保持部材の変形例の平面図である。
【図３】  （Ａ）は、本考案の実施形態における植物保持部材の一部の平面図である。（Ｂ）は、（Ａ）のＦ−Ｆ矢視断面図である。
【図４】  本考案の実施形態における植物保持部材がイチゴの茎を挟持した際の断面図である。
【図５】  （Ａ）〜（Ｃ）は、図３（Ａ）のＦ−Ｆ矢視断面図の変形例である。
【図６】  （Ａ）は、本考案の実施形態における植物保持部材の変形例がイチゴの茎を挟持した際の断面図である。（Ｂ）は、本考案の実施形態における植物保持部材の変形例と図３（Ｂ）に示す植物保持部材とを比較した断面図である。
【図７】  （Ａ）〜（Ｃ）は、本考案の第一実施形態における植物保持部材にイチゴを保持させる様子を時系列に並べた図である。
【考案を実施するための形態】
【００１４】  以下、本考案の実施の形態を、添付図面を参照して説明する。
【００１５】  図１を参照して、本考案の第一実施形態における植物保持部材１について説明する。本考案の実施の形態における植物保持部材１は、茎を有する茎付き植物を保持するものである。茎を有する植物として、例えば、イチゴが挙げられるが、これに限定されるものではなく、その他の植物であってもよい。なお、以下において茎を有する植物がイチゴであるものとして本実施形態を説明するが、イチゴ以外にも適用可能である。植物保持部材１は、図１（Ａ）に示すように、例えば、板状部１０と、土台部２０と、姿勢維持機構３０と、を備える。
【００１６】  ＜板状部＞
板状部１０は、板状に形成される板状部材により構成される。板状部１０は、例えば、長方形に形成されることが想定されるが、これに限定されるものではなく、正方形やその他の多角形、円形、それらが混合された形状のいずれであってもよい。
【００１７】  また、板状部１０は、イチゴ１００を載置する植物載置面１１を有する。具体的にイチゴ１００Ａは、イチゴ１００Ａの茎１０１の周りのヘタ１０２部分が植物載置面１１に接触した状態で、植物載置面１１で載置される。植物載置面１１は、板状部１０の一方側の平面により構成される。板状部１０の材料として、例えば、ポリエチレンテレフタラート、ポリプロピレン、ポリスチレン、発泡スチロール等の樹脂が一例として挙げられるが、これに限定されるものではなく、その他の材料であってもよい。
【００１８】  板状部１０は、イチゴ１００が載置されたときに、その重みで反り過ぎないように、ある程度の板厚を有することが好ましい。板状部１０の板厚として、例えば、０．７ｍｍ以上が好ましく、１ｍｍ以上がさらに好ましい。
【００１９】  ＜スリット＞
板状部１０は、図１（Ａ）および図２（Ａ）に示すように、複数のスリット４０を有する。スリット４０は、板状部１０の外縁１０Ａにおいて開口すると共に、植物載置面１１に沿う平面方向（以下、スリット延在方向と呼ぶ。）Ａに沿って、板状部１０の内部側に延在する。換言すると、スリット４０は、板状部１０の開口４３を起点として、スリット延在方向Ａに沿って板状部１０の内部の途中まで延在する。
【００２０】  また、複数のスリット４０は、等間隔に並列に設けられることが想定されるが、これに限定されるものではなく、不等間隔に並列に設けられるものであってもよい。本実施形態において複数のスリット４０の配列方向（以下、スリット配列方向と呼ぶ。）は、スリットの幅方向（以下、スリット幅方向と呼ぶ。）Ｂとされるが、これに限定されるものではなく、植物載置面１１に沿う方向であればどの方向であってもよい。
【００２１】  以上のようにスリット４０が設けられると、隣り合うスリット４０の間には、帯状部１３が形成される。帯状部１３は、基端１６を起点としてスリット延在方向Ａに沿って延在する。なお、基端１６とは、スリット幅方向Ｂ（スリット配列方向）においてスリット４０の最奥面４４に隣接する部分に相当する。また、帯状部１３とスリット４０とは、スリット幅方向Ｂ（スリット配列方向）に沿って交互に並列に並ぶ。結果、本実施形態において板状部１０は、図１（Ａ）および図２（Ａ）に示すように、櫛形状となる。
【００２２】  なお、スリット延在方向Ａは、図１（Ａ）および図２（Ａ）に示すように、本実施形態では板状部１０の長さ方向Ｙに平行な方向となっているが、これに限定するものではなく、例えば、図２（Ｂ）に示すように、板状部１０の長さ方向Ｙとは、角度α（α≠０°、１８０°）を成すような方向であってもよい。また、スリット幅方向Ｂ（スリット配列方向）は、図１（Ａ）および図２（Ａ）に示すように、本実施形態では板状部１０の幅方向Ｘに平行な方向となっているが、これに限定するものではなく、例えば、図２（Ｂ）に示すように、板状部１０の幅方向Ｘとは、角度β（β≠０°、１８０°）を成すような方向であってもよい。
【００２３】  なお、スリット延在方向Ａは、直線方向に限定されるものではなく、曲線方向（例えば、波線方向、螺旋方向）であってもよい。また、以下において本実施形態では、スリット配列方向がスリット幅方向Ｂであるとして説明する。
【００２４】  スリット４０は、図２（Ａ）に示すように、第一スリット構成面４１と、第二スリット構成面４２と、およびスリット４０のスリット延在方向Ａにおける最奥面４４と、により構成される。図２（Ａ）において第一スリット構成面４１および第二スリット構成面４２は、スリット幅方向Ｂにおいてスリット４０の両隣に位置する２つの帯状部１３の面のうち、スリット幅方向Ｂにおいて対向する面に相当する。つまり、第一スリット構成面４１および第二スリット構成面４２は、スリット幅方向Ｂにおいて対向する。
【００２５】  スリット４０の最小スリット幅Ｄ（第一スリット構成面４１と第二スリット構成面４２のスリット幅方向Ｂにおける最小距離）は、イチゴ１００の茎１０１の直径Ｒまたは幅Ｗよりも小さくすることが好ましい。後述するように、第一スリット構成面４１と第二スリット構成面４２で茎１０１の径方向から茎１０１を挟持するためである。茎１０１の直径Ｒまたは幅Ｗが略２ｍｍと仮定した場合、最小スリット幅Ｄは、例えば、０．６ｍｍ≦Ｄ≦１．８ｍｍであることが好ましく、０．７ｍｍ≦Ｄ≦１．２ｍｍであることがより好ましく、０．７ｍｍ≦Ｄ≦０．９ｍｍであることがさらに好ましい。
【００２６】  なお、スリット４０の最小スリット幅Ｄは、スリット４０が延在する全区間で同一であることが好ましい。つまり、スリット４０は、スリット４０が延在する全区間で等幅を有することが好ましい。ただし、本考案では、これに限定されるものではなく、例えば、スリット４０の最小スリット幅Ｄは、スリット４０の最奥面４４側から開口４３側に進むにしたがって大きくなるものであってもよい。この場合、第一スリット構成面４１および第二スリット構成面４２は、図２（Ａ）に示す第一スリット構成面４１Ａおよび第二スリット構成面４２Ａのように、スリット延在方向Ａに沿ってスリット４０の最奥面４４側から開口４３側に進むにしたがって最小スリット幅Ｄが大きくなるよう、最奥面４４から開口４３にわたって全体がテーパ形状に形成される。
【００２７】  また、第一スリット構成面４１および第二スリット構成面４２は、スリット４０の開口４３の近傍領域Ｕ（図２（Ａ）参照）において、スリット延在方向Ａに沿いスリット４０の内部からスリット４０の開口４３へ進むに従ってスリット幅方向Ｂにおいて相互に離反するように延在するものであってもよい。スリット４０の開口４３の幅を大きくして茎１０１をスリット４０に挿入しやすくするためである。結果、帯状部１３の先端領域の形状は、帯状部１３の先端に進むに従ってスリット幅方向Ｂにおける帯状部１３の幅Ｋが小さくなるような先細り形状となる。その先細り形状は、例えば、帯状部１３の平面に垂直な方向から平面視したとき、円弧状となるように構成されてもよいし（図２（Ａ）参照）、略三角形状となるように構成されてもよい（図２（Ｂ）参照）。
【００２８】  また、後述の＜イチゴを板状部に設置する手順＞で説明するが、帯状部１３は、帯状部１３の基端１６を支点としてスリット幅方向Ｂ（幅方向Ｘ）に傾動可能に構成されることが好ましい。スリット幅方向Ｂ（幅方向Ｘ）に傾動した帯状部１３は、弾性変形して元の位置に復帰する。このため、スリット幅方向Ｂにおける帯状部１３の幅Ｋは、以上のことが実現可能な大きさとなる。
【００２９】  また、第一スリット構成面４１および／または第二スリット構成面４２は、平滑化されていてもよいが、粗面化されていることがより好ましい。第一スリット構成面４１および第二スリット構成面４２によりイチゴ１００の茎１０１が挟持されとき、イチゴ１００の茎１０１が滑らないように確実に挟持できるからである。粗面化されると、第一スリット構成面４１および／または第二スリット構成面４２には、微細な凹凸が形成される。なお、第一スリット構成面４１および／または第二スリット構成面４２は、平滑化された部分と粗面化された部分の双方が混在していてもよい。
【００３０】  ＜第一スリット構成面および第二スリット構成面＞
図３〜図５を参照して第一スリット構成面４１および第二スリット構成面４２について説明する。第一スリット構成面４１は、第一凸面４１０を有する。第一凸面４１０は、スリット幅方向Ｂの第一スリット構成面４１から第二スリット構成面４２に向かう側に凸となる。また、第一凸面４１０は、図３（Ｂ）に示すように、スリット幅方向Ｂに沿ってスリットの深さ方向（以下、スリット深さ方向と呼ぶ。）Ｃに切った断面（以下、スリット断面と呼ぶ。）において第一スリット構成面４１から第二スリット構成面４２に向かう側に凸となる。なお、本実施形態においてスリット深さ方向Ｃは、板状部１０の厚み方向に一致する。
【００３１】  第一凸面４１０は、図３（Ｂ）に示すように、スリット断面のスリット深さ方向Ｃにおける幅（以下、断面スリット深さ方向幅と呼ぶ。）Ｌが、第一凸面４１０の基端側よりも先端側の方が小さくなることが好ましい。つまり、第一凸面４１０の先端側の断面スリット深さ方向幅Ｌ１は、第一凸面４１０の基端側の断面スリット深さ方向幅Ｌ２よりも小さくなる。また、第一凸面４１０は、断面スリット深さ方向幅Ｌが第一凸面４１０の基端側から先端側に進むに従って小さくなるテーパ状に形成されることが好ましい。以上のような第一凸面４１０は、第一傾斜面４１１と、第二傾斜面４１２と、を有する。第一傾斜面４１１と、第二傾斜面４１２とが交差して、第一凸面４１０が形成される。
【００３２】  第一傾斜面４１１は、図３（Ｂ）に示すように、スリット幅方向Ｂにおける第一スリット構成面４１側の植物載置面１１の外縁１１Ａを起点として、第一凸面４１０が凸となる方向（スリット幅方向Ｂの第一スリット構成面４１から第二スリット構成面４２に向かう側）に進むに従って、植物載置面１１とは反対の反対面１２側に向かって傾斜する。なお、外縁１１Ａは、スリット延在方向Ａに沿って延在する。そして、第一傾斜面４１１は、外縁１１Ａ全体に亘り、スリット延在方向Ａに沿って延在してもよいし、外縁１１Ａの一部区間だけスリット延在方向Ａに沿って延在してもよい。
【００３３】  第二傾斜面４１２は、図３（Ｂ）に示すように、例えば、スリット幅方向Ｂにおける第一スリット構成面４１側の反対面１２の外縁１２Ａを起点として、第一凸面４１０が凸となる方向（スリット幅方向Ｂの第一スリット構成面４１から第二スリット構成面４２に向かう側）に進むに従って、植物載置面１１側に向かって傾斜する。なお、第二傾斜面４１２は、第一傾斜面４１１よりもスリット深さ方向Ｃの反対面１２側に位置する。なお、外縁１２Ａは、スリット延在方向Ａに沿って延在する。そして、第二傾斜面４１２は、外縁１２Ａ全体に亘り、スリット延在方向Ａに沿って延在してもよいし、第一傾斜面４１１が延在する区間に対応した外縁１２Ａの一部区間だけスリット延在方向Ａに沿って延在してもよい。
【００３４】  第二スリット構成面４２は、第二凸面４２０を有する。第二凸面４２０は、スリット幅方向Ｂの第二スリット構成面４２から第一スリット構成面４１に向かう側に凸となる。また、第二凸面４２０は、図３（Ｂ）に示すように、スリット断面において第二スリット構成面４２から第一スリット構成面４１に向かう側に凸となる。
【００３５】  第二凸面４２０は、スリット断面のスリット深さ方向Ｃにおける幅（以下、断面スリット深さ方向幅と呼ぶ。）Ｌが、第二凸面４２０の基端側よりも先端側の方が小さくなることが好ましい。つまり、図３（Ｂ）に示すように、第二凸面４２０の先端側の断面スリット深さ方向幅Ｌ１は、第二凸面４２０の基端側の断面スリット深さ方向幅Ｌ２よりも小さくなる。また、第二凸面４２０は、断面スリット深さ方向幅Ｌが第二凸面４２０の基端側から先端側に進むに従って小さくなるテーパ状に形成されることが好ましい。以上のような第二凸面４２０は、第一傾斜面４２１と、第二傾斜面４２２と、を有する。第一傾斜面４２１と、第二傾斜面４２２とが交差して、第二凸面４２０が形成される。なお、第二凸面４２０における第一傾斜面４２１および第二傾斜面４２２は、それぞれ、第一凸面４１０における第一傾斜面４１１および第二傾斜面４１２と同様に説明することができるため、その説明を省略する。
【００３６】  なお、ここで、第一凸面４１０の凸基準となる仮想的な基準面を仮想基準面Ｇ１と定義した場合、図３（Ｂ）に示す第一傾斜面４１１の仮想基準面Ｇ１に対する傾斜角θ１、および、第二傾斜面４１２の仮想基準面Ｇ１に対する傾斜角θ２は、同じであっても異なっていてもよい。また、第二凸面４２０の凸基準となる仮想的な基準面を仮想基準面Ｇ２と定義した場合、図３（Ｂ）に示す第一傾斜面４２１の仮想基準面Ｇ２に対する傾斜角θ３、および、第二傾斜面４２２の仮想基準面Ｇ２に対する傾斜角θ４は、同じであっても異なっていてもよい。なお、本実施形態において仮想基準面Ｇ１，Ｇ２は、スリット幅方向Ｂにおける植物載置面１１の外縁１１Ａ，１１Ｂ、または、反対面１２の外縁１２Ａ，１２Ｂに沿ってスリット深さ方向Ｃに仮想的に延在する面である。
【００３７】  以上のように構成される第一スリット構成面４１および第二スリット構成面４２により、スリット深さ方向Ｃにスリット４０に挿入されたイチゴ１００の茎１０１が挟持されたとき、図４に示すように、第一凸面４１０および第二凸面４２０は、それぞれ茎１０１の周面１０１Ａ側から茎１０１の内部に食い込む第一食込み領域４５、および第二食込み領域４６と、茎１０１に当接しない第一茎側非当接領域４７、および第二茎側非当接領域４８とを有する。そして、イチゴ１００Ａの茎１０１の周りのヘタ１０２部分は、植物載置面１１に接触した状態で、植物載置面１１で載置される。
【００３８】  第一食込み領域４５、および第二食込み領域４６は、それぞれ、第一スリット構成面４１および第二スリット構成面４２によりイチゴ１００の茎１０１が上記のように挟持された後において、イチゴ１００の茎１０１が挟持される前における茎１０１の周面１０１Ａを仮想周面１０１Ｂと定義したとき、仮想周面１０１Ｂよりも茎１０１の内部側における第一凸面４１０および第二凸面４２０の領域を指す。第一食込み領域４５、および第二食込み領域４６は、それぞれ第一凸面４１０および第二凸面４２０のスリット幅方向Ｂにおける先端側に設けられる。本実施形態において第一食込み領域４５、および第二食込み領域４６は、例えば、スリット断面が略三角形状となる。このとき、第一食込み領域４５、および第二食込み領域４６の先端角が小さければ小さいほど、イチゴ１００の茎１０１に第一食込み領域４５、および第二食込み領域４６を食い込ませやすくなる。
【００３９】  第一食込み領域４５、および第二食込み領域４６がイチゴ１００の茎１０１に対して食い込み深さＦ１，Ｆ２は、イチゴ１００の茎１０１の直径Ｒまたは幅Ｗに対して、０＜Ｆ１，Ｆ２＜Ｒ／２（Ｗ／２）の範囲となることが好ましく、０＜Ｆ１，Ｆ２＜Ｒ／３（Ｗ／３）の範囲となることがより好ましく、０＜Ｆ１，Ｆ２＜Ｒ／４（Ｗ／４）の範囲となることがさらに好ましい。例えば、イチゴ１００の茎１０１の直径Ｒまたは幅Ｗが２（ｍｍ）である場合、食い込み深さＦ１，Ｆ２は、０．５（ｍｍ）以下となることが好ましい。
【００４０】  第一茎側非当接領域４７、および第二茎側非当接領域４８は、それぞれ、スリット幅方向Ｂにおいて第一食込み領域４５、および第二食込み領域４６に連続した領域である。そして、第一茎側非当接領域４７、および第二茎側非当接領域４８は、それぞれ第一食込み領域４５、および第二食込み領域４６のスリット深さ方向Ｃの両側または一方側に設けられ、第一食込み領域４５、および第二食込み領域４６に隣接する。また、第一茎側非当接領域４７、および第二茎側非当接領域４８は、第一食込み領域４５、および第二食込み領域４６よりもスリット幅方向Ｂの基端側に設けられる。
【００４１】  ＜第一スリット構成面および第二スリット構成面の変形例１＞
図５（Ａ），（Ｃ）を参照して第一スリット構成面４１および第二スリット構成面４２の変形例について説明する。本変形例において第一スリット構成面４１の第一凸面４１０は、第三傾斜面４１７（第三傾斜面４１８）と、平面４１９と、を有する。第三傾斜面４１７（第三傾斜面４１８）と、平面４１９とが交差して第一凸面４１０が形成される。第三傾斜面４１７は、植物載置面１１の外縁１１Ａを起点として、第一凸面４１０が凸となる方向（スリット幅方向Ｂの第一スリット構成面４１から第二スリット構成面４２に向かう側）に進むに従って、植物載置面１１とは反対の反対面１２側に向かって傾斜する。第三傾斜面４１８は、反対面１２の外縁１２Ａを起点として、第一凸面４１０が凸となる方向（スリット幅方向Ｂの第一スリット構成面４１から第二スリット構成面４２に向かう側）に進むに従って、植物載置面１１側に向かって傾斜する。平面４１９は、植物載置面１１または反対面１２に平行となる。
【００４２】  なお、図５（Ｃ）に示すように、第三傾斜面４１７は、植物載置面１１の外縁１１Ａからスリット深さ方向Ｃの反対面１２側に所定距離離れた位置４３０を起点として傾斜する態様であってもよい。第三傾斜面４１８は、図５（Ｃ）に示すように、植物載置面１１の外縁１２Ａからスリット深さ方向Ｃの植物載置面１１側に所定距離離れた位置４３１Ａ，４３１Ｂを起点として傾斜する態様であってもよい。
【００４３】  また、図５（Ｃ）に示すように、第三傾斜面４１８は、途中に段部４１８Ａを有する態様であってもよい。以上は第三傾斜面４１７についても同様である。
【００４４】  また、図５（Ａ）において平面４１９は、例えば、植物載置面１１の外縁１１Ａ、または反対面１２の外縁１２Ａを起点として延在するが、これに限定されるものではない。例えば、平面４１９は、図５（Ｃ）に示すように、反対面１２の外縁１２Ａからスリット深さ方向Ｃの植物載置面１１側に所定距離離れた位置４３２、または、植物載置面１１の外縁１１Ａを起点としてスリット深さ方向Ｃの反対面１２側に所定距離離れた位置４３３を起点として延在するものであってもよい。なお、図５（Ｃ）に示すように、位置４３２，４３３は、仮想基準面Ｇ１よりもスリット幅方向Ｂにずれた位置にあってもよい。
【００４５】  第二スリット構成面４２の第二凸面４２０は、第一スリット構成面４１の第一凸面４１０と同様に説明可能であるため、説明を省略する。なお、図５（Ａ）に示す第三傾斜面４１７の仮想基準面Ｇ１に対する傾斜角θ５、および、第二傾斜面４２７の仮想基準面Ｇ２に対する傾斜角θ６は、同じであっても異なっていてもよい。
【００４６】  ＜第一スリット構成面および第二スリット構成面の変形例２＞
図５（Ｃ）を参照して第一スリット構成面４１および第二スリット構成面４２の変形例について説明する。図５（Ｃ）に示すように、本変形例において第二スリット構成面４２は、第二凸面４２０Ｄ，４２０Ｅを有する。
【００４７】  第二凸面４２０Ｄは、平面４２３〜４２５により構成される。平面４２３は、植物載置面１１の外縁１１Ｂからスリット深さ方向Ｃの反対面１２側に所定距離離れた位置４３４を起点として植物載置面１１または反対面１２に平行となる。平面４２４は、位置４３４からスリット深さ方向Ｃの反対面１２側に所定距離離れた位置４３５を起点として植物載置面１１または反対面１２に平行となる。平面４２５は、平面４２３，４２５に垂直に交差する平面である。そして、本変形例の第二凸面４２０Ｄは、スリット断面が略長方形状となる。
【００４８】  第二凸面４２０Ｅは、傾斜面４２６，４２７、および平面４２８により構成される。傾斜面４２６は、反対面１２の外縁１２Ｂからスリット深さ方向Ｃの植物載置面１１側に所定距離離れた位置４３６を起点として、第一凸面４１０が凸となる方向（スリット幅方向Ｂの第一スリット構成面４１から第二スリット構成面４２に向かう側）に進むに従って、植物載置面１１側に向かって傾斜する。傾斜面４２７は、位置４３６からスリット深さ方向Ｃの植物載置面１１側に所定距離離れた位置４３７を起点として傾斜面４２６とは反対側に傾斜する。平面４２８は、平面４２５に平行であり、傾斜面４２６，４２７と交差する面である。そして、本変形例の第二凸面４２０Ｅは、スリット断面が略台形状となる。なお、第二凸面４２０におけるスリット断面は、その他の四角形状であってもよい。
【００４９】  ＜第一スリット構成面および第二スリット構成面の変形例３＞
図５（Ｂ），（Ｃ）を参照して第一スリット構成面４１および第二スリット構成面４２の別の変形例について説明する。図５（Ｂ）に示すように、第一スリット構成面４１は、スリット深さ方向Ｃに沿って第一凸面４１０が複数設けられた態様であってもよい。また、第二スリット構成面４２も第一スリット構成面４１と同様に、スリット深さ方向Ｃに沿って第二凸面４２０が複数設けられた態様であってもよい。図５（Ｂ）において第一凸面４１０と第二凸面４２０の数は異なっているが、これに限定されるものではなく、同じであってもよい。
【００５０】  また、第一凸面４１０と第二凸面４２０とは、スリット幅方向Ｂにおいて対向することが好ましいが、スリット幅方向Ｂにおいて対向しなくてもよい。例えば、図５（Ｂ）において第一凸面４１０Ａ，４１０Ｃは、それぞれ、スリット幅方向Ｂにおいて第二凸面４２０Ａ，４２０Ｃと対向する。一方、第二凸面４２０Ｂとスリット幅方向Ｂにおいて対向する第一凸面はない。つまり、第一スリット構成面４１および第二スリット構成面４２には、スリット幅方向Ｂにおいて対向する第一凸面４１０および第二凸面４２０と、スリット幅方向Ｂにおいて対向しない対向する第一凸面４１０および第二凸面４２０と、が混在してもよい。
【００５１】  また、複数の第一凸面４１０および第二凸面４２０は、形状が全て同じであってもよいし、図５（Ｂ），（Ｃ）に示すように、形状が異なるものが混在してもよい。
【００５２】  ＜第一スリット構成面および第二スリット構成面の変形例４＞
図６を参照して第一スリット構成面４１および第二スリット構成面４２の別の変形例について説明する。本変形例において第一スリット構成面４１および第二スリット構成面４２は、図６（Ａ）に示すように、それぞれ第一食込み領域４５、および第二食込み領域４６のみならず、第一茎側当接領域４９および第二茎側当接領域５０を有する。
【００５３】  第一茎側当接領域４９および第二茎側当接領域５０は、それぞれ、茎１０１の周面１０１Ａに当接する。第一茎側当接領域４９および第二茎側当接領域５０は、それぞれスリット幅方向Ｂにおいて、第一食込み領域４５、および第二食込み領域４６を挟み込む。つまり、第一茎側当接領域４９および第二茎側当接領域５０は、それぞれ第一食込み領域４５、および第二食込み領域４６のスリット深さ方向Ｃの両側に設けられ、第一食込み領域４５、および第二食込み領域４６に隣接する。なお、第一茎側当接領域４９および第二茎側当接領域５０は、それぞれ第一食込み領域４５、および第二食込み領域４６のスリット深さ方向Ｃの一方側に設けられてもよい。なお、第一茎側当接領域４９および第二茎側当接領域５０は、それぞれスリット幅方向Ｂにおいて、第一食込み領域４５、および第二食込み領域４６に連続するものであってもよいし、不連続であってもよい。本変形例において第一茎側当接領域４９および第二茎側当接領域５０は、仮想基準面Ｇ１，Ｇ２と同一平面上になる。また、本変形例において仮想表面１０１Ｂは、仮想基準面Ｇ１，Ｇ２と同一平面上になる。
【００５４】  なお、第一茎側非当接領域４７、第二茎側非当接領域４８、第一茎側当接領域４９および第二茎側当接領域５０のそれぞれを適宜、組み合わせたものも本考案の範囲に含まれる。
【００５５】  ここで、第一茎側非当接領域４７、および第二茎側非当接領域４８を有する、図３（Ｂ）および図４に示す第一凸面４１０および第二凸面４２０（以下、前者側凸面と呼ぶ。）と、第一茎側当接領域４９および第二茎側当接領域５０を有する、図６（Ａ）に示す第一凸面４１０および第二凸面４２０（以下、後者側凸面と呼ぶ。）と、を比較すると、図６（Ｂ）に示すように、第一凸面４１０および第二凸面４２０のスリット幅方向Ｂにおける高さは、前者側凸面の方が後者側凸面よりも高い。つまり、後者側凸面の方が前者側凸面よりも凸の度合いが小さい。なお、第一凸面４１０および第二凸面４２０のスリット幅方向Ｂにおける高さは、仮想基準面Ｇ１，Ｇ２を基準としたものである。また、当然ながら仮想基準面Ｇ１，Ｇ２の位置は、後者側凸面に比べて前者側凸面の方が、スリット４０からスリット幅方向Ｂに遠位な位置にある。
【００５６】  ＜イチゴを板状部に設置する手順＞
次に、図７を参照して、イチゴ１００Ａを板状部１０に設置する手順について説明する。なお、図７では、帯状部１３の傾動をわかりやすくするため、上記傾動の度合いを比較的大きく描いているが、これは一例であり、傾動の度合いが図７と異なっているものも本考案には含まれる。イチゴ１００Ａを板状部１０に設置するとき、図７（Ａ）に示すように、イチゴ１００Ａの茎１０１をスリット４０Ａの入口となる開口４３に向かって移動させる。そして、イチゴ１００Ａの茎１０１を開口４３からスリット４０Ａの内部に挿入するには、開口４３におけるスリット幅Ｄをイチゴ１００Ａの茎１０１の直径Ｒまたは幅Ｗよりも大きくする必要がある。このため、開口４３におけるスリット幅Ｄが広がるように、スリット４０Ａの両隣の帯状部１３Ａ，１３Ｂに対して互いがスリット幅方向Ｂにおいて離反するよう力Ｆを加える。これにより、帯状部１３Ａ，１３Ｂは、帯状部１３Ａ，１３Ｂの基端１６Ｃ，１６Ｄを支点としてスリット幅方向Ｂにおいて互いが離反する側に傾動する。
【００５７】  そして、図７（Ｂ）に示すように、スリット幅Ｄが広がった開口４３からスリット４０Ａの内部にイチゴ１００Ａの茎１０１を挿入する。なお、帯状部１３Ａ，１３Ｂは、上記のように傾動されても元の状態に戻ろうとする弾性を有するように構成される。このため、イチゴ１００Ａの茎１０１がスリット４０Ａに挿入されると、第一スリット構成面４１と第二スリット構成面４２で茎１０１の径方向から茎１０１は挟持される。そして、イチゴ１００Ａの茎１０１は、第一スリット構成面４１の第一凸面４１０と、第二スリット構成面４２の第二凸面４２０とにより、茎１０１の径方向の内側に押圧される。第一凸面４１０の先端および第二凸面４２０の先端側（第一食込み領域４５、および第二食込み領域４６）は、尖っているため、茎１０１に食い込み始める。このとき、イチゴ１００Ａのヘタ１０２部分が植物載置面１１に接触した状態で、イチゴ１００Ａは植物載置面１１で載置される。
【００５８】  イチゴ１００Ａが植物載置面１１で載置されると共に、第一食込み領域４５、および第二食込み領域４６がイチゴ１００Ａの茎１０１に食い込んだ状態で、さらにイチゴ１００Ａの茎１０１をスリット４０Ａの奥側に進めていくと、帯状部１３Ａ，１３Ｂには、茎１０１によりスリット幅方向Ｂにおいて互いが離反する側に力Ｆが加えられる。結果、帯状部１３Ａ，１３Ｂは、スリット幅方向Ｂにおいて互いが離反する側にさらに傾動される。
【００５９】  このとき、イチゴ１００Ａの茎１０１は、図７（Ｃ）に示すように、さらに傾動された帯状部１３Ａ，１３Ｂは、それぞれ自身の隣の帯状部１３Ｅ，１３Ｆに接触する。その帯状部１３Ｅ，１３Ｆには、スリット幅方向Ｂにおいて互いが離反する側に傾動するよう帯状部１３Ａ，１３Ｂにより力を加えられる。なお、イチゴ１００Ａの茎１０１をスリット４０Ａの奥側に進めれば進めるほど、帯状部１３Ａ，１３Ｂは、隣り合う帯状部１３Ｅ，１３Ｆ等から反力を受ける。結果、第一凸面４１０と、第二凸面４２０とは、さらに、茎１０１に深く食い込む。このため、茎１０１は、第一凸面４１０と、第二凸面４２０とにより強固に挟持される。
【００６０】  また、図７（Ｃ）に示すように、別のイチゴ１００Ｂを別のスリット４０Ｂに挿入すると、同様にスリット４０Ｂの周囲の帯状部１３Ｇ，１３Ｈ，１３Ｉ，１３Ｊが傾動する。このとき、スリット４０Ａとスリット４０Ｂの間の帯状部（帯状部１３Ｂ，１３Ｆ，１３Ｈ，１３Ｊ等）は、イチゴ１００Ａの茎１０１からスリット幅方向Ｂのイチゴ１００Ａからイチゴ１００Ｂに向かう側に力を加えられ、イチゴ１００Ｂの茎１０１からスリット幅方向Ｂのイチゴ１００Ｂからイチゴ１００Ａに向かう側に力を加えられる。結果、スリット４０Ａとスリット４０Ｂの間の帯状部（帯状部１３Ｂ，１３Ｆ，１３Ｈ，１３Ｊ等）は、傾動の度合いが制限される。このとき、イチゴ１００Ａ，１００Ｂの茎には、第一凸面４１０の先端および第二凸面４２０の先端側（第一食込み領域４５、および第二食込み領域４６）が深く食い込む。結果、イチゴ１００Ａ，１００Ｂは、第一凸面４１０および第二凸面４２０により強く挟持される。したがって、複数のスリット４０に複数のイチゴ１００を挿入すると、茎１０１に働く挟持力がより強くなる。
【００６１】  以上のようにして、図１（Ａ）に示すように、イチゴ１００は、第一スリット構成面４１と第二スリット構成面４２で自身の茎１０１が挟持されると共に、自身のヘタ１０２部分が植物載置面１１に接触した状態で、板状部１０に載置される。このため、同一の板状部１０では、イチゴ１００は、いずれも自身のヘタ１０２部分が植物載置面１１に接触し、かつ自身の芯が植物載置面１１に略垂直な方向へ延びるような姿勢をとる（図１（Ａ），（Ｂ）参照。）。結果、同一の板状部１０で保持される複数のイチゴ１００は、確実にいずれも同じ姿勢をとることができる。
【００６２】  なお、帯状部１３が基端１６を支点としてスリット幅方向Ｂ（幅方向Ｘ）に傾動する度合いが小さくなるように、または、ほとんど傾動しないように、板状部１０の材料、板厚、スリット幅方向Ｂにおける帯状部１３の幅Ｋ等を考慮して板状部１０が形成されてもよい。この場合、＜イチゴを板状部に設置する手順＞で説明したような一つの帯状部１３の傾動が他の部分の挟持力に与える影響は小さくなるか、または、ほとんどなくなる。結果、板状部１０には、より多くのイチゴ１００を載置させることが容易となる。このような態様のものも本考案に含まれる。
【００６３】  ＜土台部＞
土台部２０は、板状部１０を載置するものである。土台部２０は、図１（Ａ）に示すように、例えば、板状に形成される板状部材２０Ａにより構成される。板状部材２０Ａは、例えば、イチゴ１００が載置された板状部１０が収容される箱の底面部を成すことが想定されるが、これに限定されるものではない。
【００６４】  また、土台部２０は、図１（Ａ），（Ｂ）に示すように、板状部１０を載置する板載置面２１を有する。板載置面２１は、土台部２０としての板状部材２０Ａの一方側の平面により構成される。板載置面２１には、大きさおよび形状が異なる複数種類の板状部１０が載置されてもよい。土台部２０の材料として、例えば、ポリエチレンテレフタラート、ポリプロピレン等の樹脂が一例として挙げられるが、これに限定されるものではなく、その他の材料であってもよい。
【００６５】  ＜姿勢維持機構＞
姿勢維持機構３０は、板状部１０の土台部２０に対する傾斜姿勢を維持するものである。具体的に上記傾斜姿勢とは、図１（Ｂ）に示すように、植物載置面１１とは反対側の板状部１０の平面１４が板載置面２１と対向するように、板載置面２１に対して植物載置面１１が傾斜するような板状部１０の姿勢を指す。姿勢維持機構３０は、例えば、凸部３１と、挿入通路３２と、板固定部３３とを有する。
【００６６】  凸部３１は、板状部１０から凸となる。凸部３１は、板状部１０と一体形成されてもよいし、板状部１０とは別部材として板状部１０に取付けられてもよい。凸部３１が設けられる位置は、様々なものが挙げられる。例えば、凸部３１は、板状部１０のうちスリット４０の最奥面４４よりさらに奥側に設けられる。
【００６７】  挿入通路３２は、土台部２０が有する挿入通路３２であり、板載置面２１を起点として、土台部２０の内部に延びる。挿入通路３２は、凸部３１を挿入可能な形状および大きさを有する。なお、挿入通路３２は、土台部２０を貫通する態様であってもよいし、貫通しない態様であってもよい。
【００６８】  凸部３１が挿入通路３２に挿入された場合、板状部１０が土台部２０に対して傾斜姿勢をとるように、凸部３１および挿入通路３２は設けられる。図１（Ｂ）に示すように、例えば、板状部１０の植物載置面１１と板載置面２１との成す角度が角度α（０＜α＜９０）になるようにする場合、挿入通路３２は、板状部材２０Ａの厚み方向に沿って延びるように設けられる。また、凸部３１は、自身の軸３１Ａと板状部１０の長さ方向Ｙの成す角度が角度（９０―α）となるように設けられる。また、図１（Ａ）に示すように、板状部１０が土台部２０に対して傾斜姿勢をとるとき、スリット４０は、板載置面２１に垂直な方向Ｚにおいて、自身の手前側（開口４３側）が板載置面２１に対して遠位となり、自身の奥側（最奥面４４側）が板載置面２１に対して近位となるように傾斜する。
【００６９】  また、板固定部３３は、図１（Ｂ）に示すように、板載置面２１上において板状部１０を固定するものである。具体的に板固定部３３は、例えば、板状部１０および土台部２０の双方に着脱自在に係合可能な態様が一例として挙げられる。板固定部３３によれば、板載置面２１上において板状部１０を所望の姿勢にした後に、板状部１０の動作を規制して、板状部１０の姿勢を安定させることができる。
【００７０】  また、姿勢維持機構３０は、図１（Ｂ）に示すように、板状部１０が傾斜姿勢を確実にとれるように、支持部３４を有するように構成されてもよい。支持部３４は、植物載置面１１と反対側の板状部１０の平面１４側から板状部１０を支持するものである。支持部３４は、平面方向Ａの凸部３１が設けられる側の端部付近に設けられる。支持部３４は、例えば、板載置面２１および板状部１０の平面１４の双方に当接して板状部１０を支持する。
【００７１】  以上のように、姿勢維持機構３０により土台部２０に対して板状部１０に傾斜姿勢をとらせれば、板状部１０で保持されるイチゴ１００の自重Ｓは、図１（Ｂ）に示すように、植物載置面１１に沿う方向への力Ｓ１と、茎１０１の延在方向への力Ｓ２とに分離される。このため、イチゴ１００の実１０３の部分にかかる力を低減することができる。また、植物載置面１１に接触する部分は、イチゴ１００のヘタ１０２の部分である。イチゴ１００のヘタ１０２の近傍は、成熟が遅く、比較的硬い。このため、イチゴ１００のヘタ１０２の近傍は、比較的傷が付きにくい。したがって、本実施形態によれば、イチゴ１００にかかる負担を低減することができると共に、イチゴ１００が傷付くことを防止することができ、商品価値を維持することが可能となる。
【００７２】  また、傾斜姿勢をとると共に、複数のイチゴ１００を保持する板状部１０を土台部２０と共にそのまま商品として陳列すれば、イチゴ１００は傾斜した状態で陳列されるため、視覚上効果的である。また、土台部２０から複数のイチゴ１００を保持する板状部１０を取り外すことが容易であるため、板状部１０単位で複数のイチゴ１００を容易に搬送可能である。
【００７３】  尚、本考案の植物保持部材は、上記した実施の形態に限定されるものではなく、本考案の要旨を逸脱しない範囲内において種々変更を加え得ることは勿論である。
【符号の説明】
【００７４】  １    植物保持部材
１０  板状部
１１  植物載置面
１２  反対面
１３，１３Ａ，１３Ｂ，１３Ｂ，１３Ｅ，１３Ｆ，１３Ｇ，１３Ｈ，１３Ｉ，１３Ｊ  帯状部
２０  土台部
３０  姿勢維持機構
３１  凸部
３２  挿入通路
３３  板固定部
４０，４０Ａ，４０Ｂ  スリット
４１，４１Ａ  第一スリット構成面
４２，４２Ａ  第二スリット構成面
４３  スリットの開口
４４  スリットの最奥面
４５  第一食込み領域
４６  第二食込み領域
４７  第一茎側非当接領域
４８  第二茎側非当接領域
４９  第一茎側当接領域
５０  第二茎側当接領域
１００  イチゴ
１０１  茎
１０１Ａ  茎の周面
１０２  イチゴのヘタ
４１０，４１０Ａ，４１０Ｂ，４１０Ｃ  第一凸面
４１１，４２１  第一傾斜面
４１２，４２２  第二傾斜面
４１７，４１８  第三傾斜面
４１９  平面
４２０，４２０Ａ，４２０Ｂ，４２０Ｃ  第二凸面
Ａ  スリット延在方向
Ｂ  スリット幅方向
Ｃ  スリット深さ方向
Ｇ１，Ｇ２  仮想基準面
【図１】
0003223014.tif 000003
【図２】
0003223014.tif 000004
【図３】
0003223014.tif 000005
【図４】
0003223014.tif 000006
【図５】
0003223014.tif 000007
【図６】
0003223014.tif 000008
【図７】
0003223014.tif 000009